(57)【要約】【課題】  使用されたテープの全長を測定できると共に、構造が簡単で、操作が容易且つ製造コストの安いテープディスペンサ−を提供すること。【解決手段】  テープディスペンサー本体底面に開設した表示窓の中に長さ測定器を収納し、長さ測定器の側辺にギヤを設けて長さ測定器の計数を駆動させる。テープディスペンサー本体の前縁にカッターを結合し、カッターの後方両側にそれぞれ位置決めプレートを設置し、両位置決めプレートの後方にカバープレートを枢接する。両位置決めプレート間の内側に設けたローラーにそれぞれ枢軸を結合する。両枢軸上にそれぞれ駆動ロールを嵌め、その片方の駆動ロール内側面にギヤを取付け、前記ギヤが長さ測定器のギヤと噛合って伝動することによって、長さ測定器の計数を開始し得るように構成する。【選択図】  図２
0003109696.tif 000002
【実用新案登録請求の範囲】
【請求項１】
本体底面の適当な個所に長さ測定器を結合すると共に、前記測定器の上にある表示窓を本体から露出させ、且つ前記長さ測定器の側辺に長さ測定器を駆動して回転させる駆動部品を連結し、更に本体の前縁にカッターを結合し、且つカッターの後方両側にそれぞれ位置決めプレートを結合し、その片方の位置決めプレートにテープ回転軸を結合させ、両位置決めプレート間の内側にローラーを設けると共に、前記ローラーの後方両側の平行個所にそれぞれ枢軸を設けたテープディスペンサー本体と、
中間に軸穴を開設し、且つ片方の軸穴はそれぞれ前記テープディスペンサー本体の両枢軸の上に嵌めこまれることによって、長さ測定器の駆動部品を結合し、
前記駆動ロールはその上にある軸穴によってそれぞれテープディスペンサー本体の両枢軸にはめ込まれ、長さ測定器の駆動部品を回転させて計数を行う両駆動ロールと、を含むことを特徴とするテープディスペンサ−。
【請求項２】
前記駆動部品は、ギヤ、スウィング部品又はその他の伝動物品であってよいことを特徴とする請求項１に記載のテープディスペンサ−。
【請求項３】
前記伝動部品は、センサースイッチ又はその他の触発器であってよいことを特徴とする請求項１に記載のテープディスペンサ−。
【考案の詳細な説明】
【技術分野】
【０００１】
本考案は、テープディスペンサ−に関し、特にテープディスペンサーの上に結合された長さ測定器の計数特性によってテープの使用量を表示できるテープディスペンサ−に関するものである。
【背景技術】
【０００２】
現在、テープは広く各方面に応用されている。例えば、一般家庭、スーパーマーケット、工場などで、物品を紙箱で包装するときにテープによって封をしたり、或いは物品を一時的にテープで固定しておく等の用途に使われる。そして、テープは特にスーパーマーケットで最もよく使われ、その使用量はかなり膨大なものである。しかし、テープのみによって紙箱を封じたり、或いはその他の物品を貼り付けることは、包装作業や貼付作業にとって非常に不便である。すなわち使用する前に、先ずテープの始端を探し出して鋏で切断し、使用後はテープの始端をテープに張り付け、再度使用するときにはもう一度テープの始端を探し出さなければならず、時間の無駄であり非常に不便である。
【０００３】
そこで、いくつかの従来型のテープディスペンサーが開発された。例えば、携帯用テープディスペンサーや卓上型テープディスペンサー等である。
【０００４】
携帯用テープディスペンサーを例にとれば、図１に示すように、主として、テープディスペンサー本体８を含み、前記テープディスペンサー本体８の前端にノコギリ状のカッター８１を結合し、カッター８１の後方両端に固定プレート８２を設け、その片方の固定プレート８２にテープ５をセットするためのテープ回転軸８３を結合し、更に二枚の固定プレート８２の間にローラー８４及びローラー８４の上方両側に駆動ロール８５を設け、二枚の固定プレート８２の後方部にカバープレート８６を枢接してある。ユーザーがテープ５を使って貼り付けるときは、先ずテープ５をテープディスペンサー本体８のテープ回転軸８３にセットした後、テープ５の始端を引っ張り出してローラー８４及び駆動ロール８５の間を通り抜けさせ、更にテープ５の始端を引っ張り出して貼り付けるべき対象物の上に貼り、必要な長さまで引っ張り出した所でテープ上方の刃物で切断する。
【０００５】
この方式の操作は便利ではあるが、大量に使用するものにとっては、テープ５を購入するとき、そのテープ５の使用できる長さが表記してあっても、悪徳業者が製造過程で手抜きして材料をごまかす可能性がある。
これを防止するため、本考案者はテープ５の使用長さを測定できるテープディスペンサーを研究開発し、テープディスペンサー本来の機能のほかに、消費者が同じ金額を払いながら、一般正常な寸法より短いテープ５を買わされることを避けることもできる二重の機能をもたせた。
このように、従来のテープディスペンサーには多の欠点があり、よりよい設計とは言い難く、改良が待たれていた。
【考案の開示】
【考案が解決しようとする課題】
【０００６】
本考案の目的は、テープディスペンサーの上の長さ測定器に備わる計数機能を利用し、使用されたテープの全長を測定できると共に、業者がテープの長さを手抜きして材料をごまかしてテープの長さが本来あるべき長さより短くなることを避けることのできるテープディスペンサ−を提供することにある。
【０００７】
本考案のもう一つの目的は、テープディスペンサーの上に設置した表示窓によってテープを使用した長さの合計を表示すると共に、前記長さ測定器によって計数する方式で、所定の貼り付け長さによって一定の長さのテープを引っ張り出し、テープの無駄使いを避けることの出来るテープディスペンサ−を提供することにある。
【０００８】
本考案のもう一つ別の目的は、構造が簡単で、操作が容易且つ製造コストの安いテープディスペンサ−を提供することにある。
【課題を解決するための手段】
【０００９】
上述した目的を達成するため本考案に係るテープディスペンサ−は、テープディスペンサー本体、二枚の位置決めプレート、カッター、カバープレート、ローラー、駆動ロール及び長さ測定器からなり、前記テープディスペンサー本体底面の適当な個所に、表示窓を開設して長さ測定器を収納し、且つ長さ測定器の側にギヤを設けて長さ測定器の計数を駆動させる、更にテープディスペンサー本体の前方先端にノコギリ状のカッターを結合させ、カッターの後方両側にそれぞれ位置決めプレートを設ける、且つ前記両側の位置決めプレートの間にカバープレートを枢接すると共に両側位置決めプレート間の内側に、ローラーを設け、更にローラー後方両端の適当な個所にそれぞれ枢軸を結合する。前記両枢軸にそれぞれ駆動ロールを取付け、そして片方の駆動ロールの内側面にギヤを結合する、前記ギヤは長さ測定器のギヤと噛合って伝動し、長さ測定器の計数を開始させる。一方、もう一方の位置決めプレートにテープを嵌めこむことの出来るテープ回転軸を連結する。
上記した構成によれば、前記テープディスペンサー本体上の長さ測定器が備える計数の特性を利用して、業者が材料を手抜きして材料をごまかすことを避けることが出来ると共に、前記テープディスペンサー本体に開設された表示窓によって使用されたテープの長さを表示することが出来、大量にテープを使用する必要のある者にとっては、安心して正規のテープを購入して使用することが出来る。
【考案の効果】
【００１０】
本考案が提供するテープディスペンサ−は下記のような長所がある。
＜１＞本考案は、前記テープディスペンサー上の長さ測定器に備わる計数特性によって、使用されたテープの長さ合計を測定できるため、業者がテープの全長を手抜きして材料をごまかすことを避けることができる。
＜２＞本考案は、テープディスペンサーの表示窓によって使用されたテープの全長を表示すると共に、前記長さ測定器の計数方式によって、必要な長さだけのテープを引っ張り出し、テープの無駄遣いを避けることができる。
＜３＞本考案は、製品構造が簡単で操作が容易、且つ低コストで生産できる。
【考案を実施するための最良の形態】
【００１１】
図２〜図４は、本考案に係るテープディスペンサ−で、主として、底面の適当な個所に表示窓１１を開設したテープディスペンサー本体１と、テープディスペンサー本体１の前縁に結合されたノコギリ状カッター１２と、カッター１２の後方両側にそれぞれ結合された位置決めプレート１３、１４と、片方の位置決めプレート１３に連結されたテープ回転軸１５と、二枚の位置決めプレート１３、１４の後方に枢接されたカバープレート１６と、二枚の位置決めプレート１３、１４間の内側に設置されたローラー17と、ローラー１７の後方両側の平行個所にそれぞれ設けられた第一枢軸１８、第二枢軸１９と、側辺に駆動部品２１を連結した長さ測定器２と、前記長さ測定器２の下方に位置する表示窓２２と、中間に軸穴３１を開設した第一駆動ロール３と、中間に軸穴４１を開設し、且つその側辺に伝動部品４２を結合した第二駆動ロール４と、を含む。
【００１２】
前記テープ回転軸１５は、テープ５をセットすることが出来る；前記カバープレート１６は、二枚の固定プレート１３、１４に枢接され、外に向かって開くことが出来る；前記第一枢軸１８、１９の設置位置は、ローラー１７の高さより低くてもよく、平行位置に設置するのが最も好ましい。
【００１３】
前記駆動部品２１は、長さ測定器２の回転を駆動して計数機能を持たせる。前記長さ測定器２は、テープディスペンサー本体１の表示窓１１の中に嵌合される。前記駆動部品２１は、センサースイッチ又はその他の触発器であってよい。
前記第一駆動ロール３は、軸穴３１によってテープディスペンサー本体１の第一枢軸１８に嵌めこまれ、第一駆動ロール３が第一枢軸１８の上で回転できるようになっている。
前記第二駆動ロール４は、軸穴４１によってテープディスペンサー本体１の第二枢軸１９に嵌めこまれ、第二駆動ロール４が第二枢軸１９の上で回転できるようになっている。前記伝動部品４２は、ギヤ、スウィング部品又はその他の伝動できる物品であってよい。
上述の各構成部品を組み立てることによって、本案テープディスペンサ−を形成する。
【００１４】
図５Ａ、５Ｂは、テープディスペンサ−の操作を示す略図である。先ずテープ５をテープディスペンサー本体１のテープ回転軸１５の上にセットし、テープ５の貼り付け端部５１を両方の駆動ロール３、４の下方まで引っ張り出し、次にテープ５の貼り付け端部５１を両方の駆動ロール３、４とローラー１７の間から通過させる。この時、テープ５の貼り付け端部５１を物件６の上に貼り付けてから本体を後ろへ向かって引っ張ると、テープ５がその勢いで物件６の上に貼り付けられると共に、両方の駆動ロール３、４及びローラー１７を回転させる。そして、第二駆動ロール４の伝動部品４２が長さ測定器２の駆動部品２１と同調して回転する、この時、前記長さ測定器２が計数を開始する。
【００１５】
尚、図６は前記テープディスペンサ−のもう一つ別の実施例の部分略図であり、図示するように、前記長さ測定器２の駆動部品２１はセンサースイッチ又はその他の触発器であってもよく、前記第二駆動ロール４の伝動部品４２は、スウィング部品又はその他の伝動出来る物品であってもよい。仮に第二駆動ロール４の伝動部品４２（スウィング部品）の一回転の長さが５センチとすれば、長さ測定器２の駆動部品２１（センサースイッチ）を通過するとき駆動部品２１（センサースイッチ）が伝動部品４２（スウィング部品）に感応する。この場合、引っ張り出されるテープ５の長さは５センチであることを意味し、この方式によって、同様にテープ５を使用した長さを測定する目的を達成することが出来る。
【００１６】
これによって、ユーザーは、前記テープディスペンサー本体１に備わるテープ５の使用済み長さを計数出来る特性を利用して、業者がテープ５の製造過程で、手抜きして材料をごまかすことを防ぎ、テープ５の大量使用者にとっては、業者に騙されることがなくなる。しかも前記テープディスペンサー本体１に開設された表示窓１１によって、使用済みのテープ５の全長を知ることが出来る。又、前記テープディスペンサ−は、卓上型テープディスペンサー７（図７参照）にも応用でき、同様にローラー７１と駆動ロール７２の相互駆動方式によって、前記駆動ロール７２の伝動部品７２１と補助部品７３を同調して駆動させると共に、前記補助部品が長さ測定器７４の駆動部品７４１を同調回転させ、長さ測定器７４の回転を駆動して計数を開始させ、長さ測定器７４の表示窓７４２によってテープ５の使用済み長さを知ることが出来る。
【００１７】
上記した説明は本考案の実施可能な一実施例の具体的な説明であるが、これらの実施例は本考案の請求範囲を制限するものではなく、凡そ本考案の技術思想を逸脱しない同等の効果又は変更はすべて本考案の請求範囲に含まれるものとする。
【図面の簡単な説明】
【００１８】
【図１】従来のテープディスペンサーの絵画図である。
【図２】本考案に係るテープディスペンサ−の平面絵画分解図である。
【図３】前記テープディスペンサ−の底面略図である。
【図４】前記テープディスペンサ−の絵画結合図である。
【図５Ａ】前記テープディスペンサ−の操作略図である。
【図５Ｂ】前記テープディスペンサ−の操作略図である。
【図６】前記テープディスペンサ−のもう一つの実施例の部分略図である。
【図７】前記テープディスペンサ−の又もう一つ別の実施例図である。
【符号の説明】
【００１９】
１・・・・テープディスペンサー本体
１１・・・表示窓
１２・・・カッター
１３・・・位置決めプレート
１４・・・位置決めプレート
１５・・・テープ回転軸
１６・・・カバープレート
１７・・・ローラー
１８・・・第一枢軸
１９・・・第二枢軸
２・・・・長さ測定器
２１・・・駆動部品
２２・・・表示窓
３・・・・第一駆動ロール
３１・・・軸穴
４・・・・第二駆動ロール
４１・・・軸穴
４２・・・伝動部品
５・・・・テープ
５１・・・貼り付け端部
６・・・・物品
７・・・・テープディスペンサー本体
７１・・・ローラー
７２・・・駆動ロール
７３・・・補助部品
７４・・・長さ測定器
７４１・・駆動部品
７４２・・表示窓
８・・・・テープディスペンサー本体
８１・・・カッター
８２・・・固定プレート
８３・・・テープ回転軸
８４・・・回転ローラー
８５・・・伝動ロール
８６・・・カバープレート
【図１】
0003109696.tif 000003
【図２】
0003109696.tif 000004
【図３】
0003109696.tif 000005
【図４】
0003109696.tif 000006
【図５Ａ】
0003109696.tif 000007
【図５Ｂ】
0003109696.tif 000008
【図６】
0003109696.tif 000009
【図７】
0003109696.tif 000010